(57)【要約】【課題】保護切換機能を有し、放送信号及び通信信号を伝送することができる波長分割多重方式の受動型光加入者網を提供する。【解決手段】二重星型構造の受動型光加入者網であって、下り光信号を生成し、また該当波長の上り光信号を検出する複数の動作及び保護送受信モジュールと、放送用光信号を生成する動作及び保護光送信器と、障害時に保護切換動作をする複数の第１の光スイッチと、を含む中央基地局と、第２の光スイッチを各々含み、放送用及び該当波長の下り光信号を受信し、該当波長の上り光信号を生成する複数の加入者装置と、前記放送用光信号を強度分割する動作及び保護光分配器を含み、前記加入者装置と前記中央基地局との間に位置する地域基地局と、前記中央基地局と前記地域基地局とを接続する幹線動作及び幹線保護光ファイバーと、前記複数の加入者装置と前記地域基地局とを接続する複数の支線動作及び支線保護光ファイバーと、を含む構成とする。【選択図】  図１
2006197558.tif 000002
【特許請求の範囲】
【請求項１】
二重星型構造の受動型光加入者網であって、
下り光信号を生成すると共に、該当波長の上り光信号を検出する、複数の第１の動作送受信モジュール及び第１の保護送受信モジュールと、放送用光信号を生成する動作光送信器及び保護光送信器と、障害が発生したときに、保護切換動作をする複数の第１の光スイッチと、を含む中央基地局と、
第２の光スイッチを各々含み、放送用光信号及び該当波長の下り光信号を受信すると共に、該当波長の上り光信号を生成する複数の加入者装置と、
前記放送用光信号を強度分割する動作光分配器及び保護光分配器を含み、前記加入者装置と前記中央基地局との間に位置する地域基地局と、
前記中央基地局と前記地域基地局とを接続する幹線動作光ファイバー及び幹線保護光ファイバーと、
前記複数の加入者装置と前記地域基地局とを接続する複数の支線動作光ファイバー及び支線保護光ファイバーと、
を含むことを特徴とする波長分割多重方式の受動型光加入者網。
【請求項２】
前記中央基地局は、前記下り光信号を多重化する一方で、多重化された前記上り光信号を逆多重化し、該当する第１の動作送受信モジュール及び第１の保護送受信モジュールに出力する第１の多重化／逆多重化器と、前記幹線動作光ファイバー及び幹線保護光ファイバーと各々接続され、該当する第１の光スイッチと前記地域基地局との間に位置する第１の動作多重化器及び第１の保護多重化器と、をさらに含み、
前記第１の多重化／逆多重化器は、多数のポートを備えており、これらポートは該当する第１の光スイッチと接続され、さらに、前記第１の動作送受信モジュール及び第１の保護送受信モジュールは、前記第１の多重化／逆多重化器の該当ポートに接続されている
ことを特徴とする請求項１に記載の波長分割多重方式の受動型光加入者網。
【請求項３】
前記動作光送信器及び保護光送信器の各々は、該当する第１の光スイッチに接続されていることを特徴とする請求項１に記載の波長分割多重方式の受動型光加入者網。
【請求項４】
前記第１の動作多重化器及び第１の保護多重化器は、前記地域基地局及び前記第１の光スイッチと接続されていることを特徴とする請求項２に記載の波長分割多重方式の受動型光加入者網。
【請求項５】
前記地域基地局は、
前記上り光信号を多重化する一方で、多重化された前記下り光信号を逆多重化し、該当する加入者装置に出力する第２の多重化／逆多重化器と、
前記幹線動作光ファイバーを介して前記中央基地局と接続され、前記動作光分配器の入力ポート及び前記第２の多重化／逆多重化器に接続された第２の動作多重化器と、
前記幹線保護光ファイバーを介して前記中央基地局と接続され、前記保護光分配器の入力ポート及び前記第２の多重化／逆多重化器に接続された第２の保護多重化器と、
前記第２の多重化／逆多重化器と該当加入者装置との間に位置し、前記動作光分配器及び保護光分配器の該当出力ポートとそれぞれ接続された第３の動作多重化器及び第３の保護多重化器と
をさらに含むことを特徴とする請求項１に記載の波長分割多重方式の受動型光加入者網。
【請求項６】
前記各加入者装置は、前記第２の光スイッチと接続され、該当波長の下り光信号を検出すると共に、上り光信号を生成する第２の動作送受信モジュール及び第２の保護送受信モジュールをさらに含むことを特徴とする請求項１に記載の波長分割多重方式の受動型光加入者網。
【請求項７】
前記動作光分配器は、
前記放送用光信号を受信する入力ポートと、
強度分割した放送用光信号を出力する複数の出力ポートと、
を含むことを特徴とする請求項１に記載の波長分割多重方式の受動型光加入者網。
【請求項８】
前記保護光分配器は、
前記放送用光信号を受信する入力ポートと、
強度分割した放送用光信号を出力する複数の出力ポートと、
を含むことを特徴とする請求項１に記載の波長分割多重方式受動型光加入者網。
【発明の詳細な説明】
【技術分野】
【０００１】
本発明は、受動型光加入者網に関し、特に、保護切換機能を実行することのできる受動型光加入者網に関する。
【背景技術】
【０００２】
波長分割多重方式の受動型光加入者網（ＷＤＭ−ＰＯＮ：Ｗａｖｅｌｅｎｇｔｈ Ｄｉｖｉｓｉｏｎ Ｍｕｌｔｉｐｌｅｘｉｎｇ−Ｐａｓｓｉｖｅ Ｏｐｔｉｃａｌ Ｎｅｔｗｏｒｋ）は、加入者装置の各々に割り当てた固有の波長を有する該当チャンネルを通じて、データを載せた光信号を伝送する光通信網の一種である。受動型光加入者網は、他の通信網と比較して通信セキュリティーの維持が非常に優れており、それに加えて、各加入者が要求する付加的な通信サービスを提供するのに容易に適合させることができると共に、通信容量の拡充が容易である。
【０００３】
このような受動型光加入者網は、通信サービスを提供するための中央基地局と、通信サービスを受けるための複数の加入者装置と、中央基地局と加入者装置との間で光信号を中継するためのリモートノードとしての地域基地局と、を含む。受動型光加入者網は、光ファイバーの設置及び管理が容易に行われるようにするために、地域基地局と中央基地局との間は単一幹線光ファイバーにより接続し、地域基地局と加入者装置との間は複数の支線光ファイバーにより接続する、二重星型構造を有する。
【０００４】
受動型光加入者網は、各加入者装置に割り当てた固有の波長を有する光信号を用いて大容量データを高速に伝送するので、網内に障害が発生すると、短時間のうちに大量のデータが損失される。従来、受動型光加入者網の障害発生によるデータの損失を防止するために、別の低速通信回路をさらに含んだ網構造が提案されている。また、保護切換構造を有する環状網も提案されている。
【０００５】
しかしながら、低速通信回路は、網のコストを増加させ、継続的な管理及び保守を必要とする。さらに低速通信回路は、障害が発生してからその障害を克服するまでの時間が長くなる。また、環状網構造は、中央基地局と多数の地域基地局との間の光信号の中継には効率的であるが、二重星型構造を有する受動型光加入者網の保護切換方式として適用することは容易でない。
【発明の開示】
【発明が解決しようとする課題】
【０００６】
本発明は、上述したような従来技術の問題点を解決するためになされたものであり、その目的は、保護切換機能を有し、放送信号及び通信信号を伝送することのできる波長分割多重方式の受動型光加入者網を提供することにある。
【課題を解決するための手段】
【０００７】
上記目的を達成するための本発明による受動型光加入者網は、二重星型構造の受動型光加入者網であって、下り光信号を生成すると共に、該当波長の上り光信号を検出する、複数の第１の動作送受信モジュール及び第１の保護送受信モジュールと、放送用光信号を生成する動作光送信器及び保護光送信器と、障害が発生したときに、保護切換動作をする複数の第１の光スイッチと、を含む中央基地局と、第２の光スイッチを各々含み、放送用光信号及び該当波長の下り光信号を受信すると共に、該当波長の上り光信号を生成する複数の加入者装置と、前記放送用光信号を強度分割する動作光分配器及び保護光分配器を含み、前記加入者装置と前記中央基地局との間に位置する地域基地局と、前記中央基地局と前記地域基地局とを接続する幹線動作光ファイバー及び幹線保護光ファイバーと、前記複数の加入者装置と前記地域基地局とを接続する複数の支線動作光ファイバー及び支線保護光ファイバーと、を含むことを特徴とする。
【０００８】
前記中央基地局は、前記下り光信号を多重化する一方で、多重化された前記上り光信号を逆多重化し、該当する第１の動作送受信モジュール及び第１の保護送受信モジュールに出力する第１の多重化／逆多重化器と、前記幹線動作光ファイバー及び幹線保護光ファイバーと各々接続され、該当する第１の光スイッチと前記地域基地局との間に位置する第１の動作多重化器及び第１の保護多重化器と、をさらに含み、前記第１の多重化／逆多重化器は、多数のポートを備えており、これらポートは該当する第１の光スイッチと接続され、さらに、前記第１の動作送受信モジュール及び第１の保護送受信モジュールは、前記第１の多重化／逆多重化器の該当ポートに接続されている構成とすることができる。
【０００９】
前記動作光送信器及び保護光送信器の各々は、該当する第１の光スイッチに接続されている構成とすることができる。
【００１０】
前記第１の動作多重化器及び第１の保護多重化器は、前記地域基地局及び前記第１の光スイッチと接続されている構成とすることができる。
【００１１】
前記地域基地局は、前記上り光信号を多重化する一方で、多重化された前記下り光信号を逆多重化し、該当する加入者装置に出力する第２の多重化／逆多重化器と、前記幹線動作光ファイバーを介して前記中央基地局と接続され、前記動作光分配器の入力ポート及び前記第２の多重化／逆多重化器に接続された第２の動作多重化器と、前記幹線保護光ファイバーを介して前記中央基地局と接続され、前記保護光分配器の入力ポート及び前記第２の多重化／逆多重化器に接続された第２の保護多重化器と、前記第２の多重化／逆多重化器と該当加入者装置との間に位置し、前記動作光分配器及び保護光分配器の該当出力ポートとそれぞれ接続された第３の動作多重化器及び第３の保護多重化器とをさらに含む構成とすることができる。
【００１２】
前記各加入者装置は、前記第２の光スイッチと接続され、該当波長の下り光信号を検出すると共に、上り光信号を生成する第２の動作送受信モジュール及び第２の保護送受信モジュールをさらに含む構成とすることができる。
【００１３】
前記動作光分配器は、前記放送用光信号を受信する入力ポートと、強度分割した放送用光信号を出力する複数の出力ポートと、を含む構成とすることができる。
【００１４】
前記保護光分配器は、前記放送用光信号を受信する入力ポートと、強度分割した放送用光信号を出力する複数の出力ポートと、を含む構成とすることができる。
【発明の効果】
【００１５】
本発明によれば、放送用の光路と通信用の光路とが統合された受動型光加入者網において、障害が発生したときに、自主的に復旧が可能な保護切換動作を具現する手段を備えた構成とすることにより、障害が発生した際の復旧遅延によるデータの損失発生を抑制することが可能となる。
【発明を実施するための最良の形態】
【００１６】
以下、本発明の好適な実施形態について添付図面を参照しながら詳細に説明する。下記の説明において、本発明の要旨のみを明瞭にするために、関連する公知の機能や構成についての具体的な説明は省略する。
【００１７】
図１〜図６は、本発明の好ましい実施形態による受動型光加入者網の構成を示すブロック図であり、実線は該当光信号が疎通されている動作状態を示し、点線は該当光信号が実際に疎通されていない非動作状態を示す。
【００１８】
図１は、本発明の好ましい実施形態に従う、保護切換機能を実現可能な波長分割多重方式の受動型光加入者網の構成を示すブロック図である。
【００１９】
図１に示すように、本実施形態に従う受動型光加入者網１００は、多重化された下り光信号及び放送用光信号を生成する一方で、上り光信号を検出する中央基地局１１０と、上り光信号を多重化する一方で、下り光信号を逆多重化する地域基地局１４０と、放送用光信号及び該当波長の下り光信号を受信する複数の加入者装置１５０−１〜１５０−ｎと、中央基地局１１０と地域基地局１４０とを接続する幹線動作光ファイバー１０１及び幹線保護光ファイバー１０２と、各加入者装置１５０−１〜１５０−ｎと地域基地局１４０とを接続する複数の支線動作光ファイバー及び支線保護光ファイバー１０４と、を含む。
【００２０】
中央基地局１１０は、第１の光スイッチ１２１及び１２２と、動作光送信器１３１及び保護光送信器１３２と、複数の第１の動作送受信モジュール１１２−１〜１１２−ｎと、複数の第１の保護送受信モジュール１１３−１〜１１３−ｎと、第１の多重化／逆多重化器１１１と、第１の動作多重化器１３３及び第１の保護多重化器１３４と、を含む。また、中央基地局１１０は、幹線動作光ファイバー１０１及び幹線保護光ファイバー１０２を介して地域基地局１４０と接続されている。第１の光スイッチ１２１は、通信用の光信号の保護切換動作をし、また、第１の光スイッチ１２２は、放送用の光信号の保護切換動作をする。なお、第１の光スイッチ１２１及び１２２を別途独立した光素子で構成しているが、共通の光素子で構成することも可能である。
【００２１】
動作光送信器１３１及び保護光送信器１３２は、放送用光信号を生成し、該当する第１の光スイッチ１２２に出力し、動作光送信器１３１に接続された光路上に障害が発生したときには、動作光送信器１３１に代えて保護光送信器１３２を使用するように切り換える保護切換動作を実行するように構成されている。
【００２２】
第１の動作送受信モジュール１１２−１〜１１２−ｎは、第１の多重化／逆多重化器１１１と接続され、下り光信号を生成して第１の多重化／逆多重化器１１１に出力する一方で、第１の多重化／逆多重化器１１１により逆多重化された該当波長の上り光信号を検出する。第１の保護送受信モジュール１１３−１〜１１３−ｎは、第１の多重化／逆多重化器１１１と接続され、第１の動作送受信モジュール１１２−１〜１１２−ｎに接続された光路上に障害が発生したときには、該当する第１の動作送受信モジュール１１２−１〜１１２−ｎに代えて第１の保護送受信モジュール１１３−１〜１１３−ｎが使用されるように切り換える保護切換動作を実行するように構成されている。
【００２３】
第１の多重化／逆多重化器１１１は、多数のポート（１〜ｎ、１＊〜ｎ＊）を含んでいる。この第１の多重化／逆多重化器１１１の少なくとも二以上のポートは、該当する第１の光スイッチ１２１と接続されている。第１の動作送受信モジュール１１２−１〜１１２−ｎ及び保護送受信モジュール１１３−１〜１１３−ｎは、第１の多重化／逆多重化器１１１の該当ポートと各々接続されている。
【００２４】
即ち、第１の多重化／逆多重化器１１１は、下り光信号を多重化して地域基地局１４０に出力する一方で、多重化された上り光信号を逆多重化して該当する第１の動作送受信モジュール１１２−１〜１１２−ｎまたは該当する第１の保護送受信モジュール１１３−１〜１１３−ｎに出力する。
【００２５】
第１の動作多重化器１３３及び第１の保護多重化器１３４は、該当する第１の光スイッチ１２１及び１２２と地域基地局１４０との間に位置し、第１の光スイッチ１２１及び１２２と接続されている。そして第１の動作多重化器１３３は、幹線動作光ファイバー１０１を介して地域基地局１４０と接続されており、また第１の保護多重化器１３４は、幹線保護光ファイバー１０２を介して地域基地局１４０と接続されている。
【００２６】
第１の動作多重化器１３３は、該当する第１の光スイッチ１２１を介して第１の多重化／逆多重化器１１１から入力される多重化された下り光信号を、幹線動作光ファイバー１０１を介して地域基地局１４０に出力する。さらに、第１の動作多重化器１３３は、幹線動作光ファイバー１０１を介して地域基地局１４０から入力される上り光信号を、該当する第１の光スイッチ１２１を介して第１の多重化／逆多重化器１１１に出力する。
【００２７】
また、第１の動作多重化器１３３は、該当する第１の光スイッチ１２２を介して入力される放送用光信号を、幹線動作光ファイバー１０１を介して地域基地局１４０に出力する。
【００２８】
第１の光スイッチ１２１及び１２２のうち、一方の光スイッチ１２２は、動作光送信器１３１及び保護光送信器１３２と第１の保護多重化器１３４との間に位置し、他方の第１の光スイッチ１２１は、第１の多重化／逆多重化器１１１と第１の動作多重化器１３３との間に位置している。
【００２９】
動作光送信器１３１及び保護光送信器１３２と接続された該当する第１の光スイッチ１２２は、放送用光信号を、第１の動作多重化器１３３及び保護多重化器１３４のいずれか一方を通じて選択的に出力するように構成されている。多重化された上り光信号を受信した該当する第１の光スイッチ１２１は、多重化された上り光信号を第１の多重化／逆多重化器１１１に出力し、さらに、多重化された下り光信号を第１の動作多重化器１３３及び保護多重化器１３４を介して選択的に出力するように構成されている。
【００３０】
地域基地局１４０は、第２の多重化／逆多重化器１４１と、動作光分配器１４４及び保護光分配器１４５と、第２の動作多重化器１４２ａ及び保護多重化器１４２ｂと、複数の第３の動作多重化器１４３ｂ−１〜１４３ｂ−ｎ及び保護多重化器１４３ａ−１ 〜１４３ａ−ｎと、を含んでいる。地域基地局１４０は、多重化された下り光信号を逆多重化して該当加入者装置１５０−１〜１５０−ｎに出力し、放送用光信号を強度分割（パワー分割）して各加入者装置１５０−１〜１５０−ｎに出力する。さらに、地域基地局１４０は、加入者装置１５０−１〜１５０−ｎから受信される上り光信号を多重化し、中央基地局１１０に出力する。
【００３１】
第２の多重化／逆多重化器１４１は、第２の動作多重化器１４２ａまたは第２の保護多重化器１４２ｂを介して受信される多重化された下り光信号を逆多重化し、該当する第３の動作多重化器１４３ｂ−１〜１４３ｂ−ｎまたは該当第３の保護多重化器１４３ａ−１〜１４３ａ−ｎを介して加入者装置１５０−１〜１５０−ｎの各々に出力する。さらに、第２の多重化／逆多重化器１４１は、第３の動作多重化器１４３ｂ−１〜１４３ｂ−ｎまたは第３の保護多重化器１４３ａ−１〜１４３ａ−ｎを介して加入者装置１５０−１〜１５０−ｎから受信される上り光信号を多重化し、第２の動作多重化器１４２ａまたは第２の保護多重化器１４２ｂを介して中央基地局１１０に出力する。
【００３２】
第２の動作多重化器１４２ａは、幹線動作光ファイバー１０１を介して中央基地局１１０と接続され、さらには動作光分配器１４４の入力ポート１４４ａ及び第２の多重化／逆多重化器１４１と接続されている。第２の保護多重化器１４２ｂは、幹線保護光ファイバー１０２を介して中央基地局１１０と接続され、さらには保護光分配器１４５の入力ポート１４５ａ及び第２の多重化／逆多重化器１４１と接続されている。
【００３３】
第２の動作多重化器１４２ａ及び第２の保護多重化器１４２ｂは、中央基地局１１０から受信される多重化された下り光信号を、第２の多重化／逆多重化器１４１に出力する一方で、第２の多重化／逆多重化器１４１で多重化された上り光信号を幹線動作光ファイバー１０１または幹線保護光ファイバー１０２を介して中央基地局１１０に出力する。さらに、第２の動作多重化器１４２ａまたは保護多重化器１４２ｂは、中央基地局１１０から受信される放送用光信号を動作光分配器１４４または保護光分配器１４５に出力する。
【００３４】
動作光分配器１４４及び保護光分配器１４５の各々は、一つの入力ポート１４４ａ，１４５ａと、複数の出力ポート１４４ｂ−１〜１４４ｂ−ｎ，１４５ｂ−１〜１４５ｂ−ｎとをそれぞれ備えており、第２の動作多重化器１４２ａまたは第２の保護多重化器１４２ｂを介して入力される放送用光信号を強度分割し、該当する出力ポート１４４ｂ−１〜１４４ｂ−ｎ，１４５ｂ−１〜１４５ｂ−ｎに出力する。
【００３５】
第３の動作多重化器１４３ｂ−１〜１４３ｂ−ｎは、加入者装置１５０−１〜１５０−ｎと第２の多重化／逆多重化器１４１との間にそれぞれ位置し、該当する支線動作光ファイバー１０３を介して該当する加入者装置１５０−１〜１５０−ｎと接続されている。さらには、第３の動作多重化器１４３ｂ−１〜１４３ｂ−ｎは、動作光分配器１４４の該当する出力ポート１４４ｂ−１〜１４４ｂ−ｎとも接続されている。
【００３６】
第３の動作多重化器１４３ｂ−１〜１４３ｂ−ｎは、第２の多重化／逆多重化器１４１から受信される該当波長の下り光信号を、該当する加入者装置１５０−１〜１５０−ｎに出力する一方で、該当する加入者装置１５０−１〜１５０−ｎで生成された上り光信号を、第２の多重化／逆多重化器１４１に出力する。さらに、第３の動作多重化器１４３ｂ−１〜１４３ｂ−ｎは、動作光分配器１４４によって強度分割された放送用光信号を、該当する加入者装置１５０−１〜１５０−ｎにそれぞれ出力する。
【００３７】
第３の保護多重化器１４３ａ−１〜１４３ａ−ｎは、第２の多重化／逆多重化器１４１と該当加入者装置１５０−１〜１５０−ｎとの間に位置し、該当する支線保護光ファイバー１０４を介して該当する各加入者装置１５０−１〜１５０−ｎに接続されている。さらに、第３の保護多重化器１４３ａ−１〜１４３ａ−ｎは、保護光分配器１４５とも接続されている。
【００３８】
加入者装置１５０−１〜１５０−ｎは、地域基地局１４０を介して放送用光信号及び該当波長の下り光信号を受信する一方で、上り光信号を生成して地域基地局１４０に出力する。加入者装置１５０−１〜１５０−ｎの各々は、第２の光スイッチ１５１と、第２の動作送受信モジュール１５２及び保護送受信モジュール１５３と、を含む。
【００３９】
第２の光スイッチ１５１−１〜１５１−ｎの各々は、４個のポートを備えており、その中の２個のポートは、該当する支線動作光ファイバー１０３及び保護光ファイバー１０４にそれぞれ接続され、また、残りの２個のポートは、第２の動作送受信モジュール１５２−１〜１５２−ｎ及び保護送受信モジュール１５３−１〜１５３−ｎにそれぞれ接続されている。第２の光スイッチ１５１−１〜１５１−ｎの各々は、第２の動作送受信モジュール１５２−１〜１５２−ｎ及び第２の保護送受信モジュール１５３−１〜１５３−ｎを地域基地局１４０に選択的に接続させる役割を有している。
【００４０】
第２の動作送受信モジュール１５２−１〜１５２−ｎ及び第２の保護送受信モジュール１５３−１〜１５３−ｎは、第２の光スイッチ１５１−１〜１５１−ｎを介して地域基地局１４０から受信される該当波長の下り光信号を検出する一方で、上り光信号を生成し、第２の光スイッチ１５１−１〜１５１−ｎを介して地域基地局１４０に出力する。
【００４１】
第２の動作送受信モジュール１５２−１〜１５２−ｎ及び保護送受信モジュール１５３−１〜１５３−ｎは、第２の光スイッチ１５１−１〜１５１−ｎを介して地域基地局１４０から受信される該当波長の下り光信号を検出する一方で、上り光信号を生成し、第２の光スイッチ１５１−１〜１５１−ｎを介して地域基地局１４０に送信する。
【００４２】
第２の動作送受信モジュール１５２−１〜１５２−ｎ及び保護送受信モジュール１５３−１〜１５３−ｎの各々は、図示は省略するが、上り光信号を生成するための光源と、該当波長の下り光信号を検出するための光検出器と、を含むことができる。光検出器としては、フォトダイオードなどを使用することができる。
【００４３】
下り光信号と上り光信号とは、互いに異なる波長帯域を使用する。例えば、下り光信号はλ１〜λｎの波長帯域を使用し、上り光信号は、λ’１〜λ’ｎの波長帯域を使用することができる。また、λＢは、放送用光信号を示している。
【００４４】
図２〜図６は、第１の動作送受信モジュール１１２−１及び動作光送信器１３１に障害が発生した場合における、本実施形態に従う受動型光加入者網１００の保護切換動作を説明するためのブロック図である。
【００４５】
図２は、特定の第１の動作送受信モジュール１１２−１及び動作光送信器１３１に障害が発生した場合における、本実施形態に従う受動型光加入者網１００の保護切換動作を説明するための図である。該当する保護送受信モジュール１１３−１は、障害が発生した動作送受信モジュール１１２−１の代わりに下り光信号を生成し、また該当波長の上り光信号を検出する。
【００４６】
第１の多重化／逆多重化器１１１は、第１の動作多重化器１３３及び該当する第１の光スイッチ１２２とを介して受信される多重化された上り光信号を逆多重化して、障害が発生した動作送受信モジュール１１２−１を除いた残りの動作送受信モジュール１１２−２〜１１２−ｎに該当波長の上り光信号をそれぞれ出力する。第１の多重化／逆多重化器１１１は、第１の保護多重化器１３４を介して受信される該当波長の上り光信号を、保護切換動作を実行する該当第１の保護送受信モジュール１１３−１に出力し、また該当第１の保護送受信モジュール１１３−１で生成された下り光信号を第１の保護多重化器１３４を介して地域基地局１４０に出力する。
【００４７】
保護光送信器１３２は、動作光送信器１３１の代わりに放送用光信号を生成する。生成した放送用光信号は、該当する第１の光スイッチ１２２及び第１の動作多重化器１３３を介して地域基地局１４０に出力される。
【００４８】
地域基地局１４０の第２の保護多重化器１４２ｂは、該当する第１の保護送受信モジュール１１３−１で生成された下り光信号を第２の多重化／逆多重化器１４１に出力する一方で、第２の多重化／逆多重化器１４１から受信される該当波長の上り光信号を、中央基地局１１０の第１の保護多重化器１３４に出力する。
【００４９】
障害が発生した第１の動作送受信モジュール１１２−１に出力するための上り光信号は、地域基地局１４０の該当する第３の保護多重化器１４３ａ−１を介して第２の多重化／逆多重化器１４１に入力される。そして第２の多重化／逆多重化器１４１は、該当する第３の保護多重化器１４３ａ−１から受信される該当上り光信号を、第２の保護多重化器１４２ｂを介して中央基地局１１０に出力する。
【００５０】
第１の多重化／逆多重化器１１１は、幹線動作光ファイバー１０１を介して受信される多重化された上り光信号を逆多重化し、該当する第１の動作送受信モジュール１１２−２〜１１２−ｎに出力する一方で、幹線保護光ファイバー１０２を介して受信される該当波長の上り光信号を、該当する第１の保護送受信モジュール１１３−１に出力する。反対に、該当する第１の保護送受信モジュール１１３−１で生成された下り光信号は、幹線保護光ファイバー１０２を介して地域基地局１４０に出力される。
【００５１】
保護光送信器１３２は、放送用光信号を生成する。生成した放送用光信号は、該当する第１の光スイッチ１２２、該当する第１の動作多重化器１３３、幹線動作光ファイバー１０１などを介して地域基地局１４０に出力される。
【００５２】
第２の動作多重化器１４２ａは、幹線動作光ファイバー１０１を介して入力を受けた放送用光信号と多重化された下り光信号との中で放送用光信号を動作光分配器１４４に出力し、多重化された下り光信号を第２の多重化／逆多重化器１４１に出力する。
【００５３】
要約すれば、図２は、中央基地局１１０にある特定の動作送受信モジュール１１２−１及び動作光送信器１３１に障害が発生した場合における保護切換動作を示す図である。図２に示す受動型光加入者網１００は、幹線動作光ファイバー１０１及び保護光ファイバー１０２を同時に使用して該当保護送受信モジュール１１３−１を駆動させることにより、該当加入者装置１５０−１に該当波長の下り光信号を継続して供給することが可能となる。さらに、図２に示す受動型光加入者網１００は、動作光送信器１３１の代わりに保護光送信器１３２が動作する構成としたことにより、放送用光信号を加入者装置１５０−１〜１５０−ｎ側に継続して提供することが可能となる。
【００５４】
図３は、特定の加入者装置１５０−１の第２の動作送受信モジュール１５２に障害が発生した場合における、保護切換動作を示す図である。図３を参照すると、第２の動作送受信モジュール１５２の代わりに、第２の保護送受信モジュール１５３が動作する構成である。
【００５５】
図４は、幹線動作光ファイバー１０１に障害が発生した場合における受動型光加入者網１００の保護切換動作を示す図である。幹線保護光ファイバー１０２は、幹線動作光ファイバー１０１の代わりに動作する。中央基地局１１０は、第１の動作多重化器１３３に代えて、第１の保護多重化器１３４を介して多重化された上り光信号及び下り光信号を入出力する。
【００５６】
地域基地局１４０は、第２の保護多重化器１４２ｂを介して多重化された下り光信号を受信する一方で、多重化された上り光信号を中央基地局１１０に出力する。
【００５７】
図５は、特定の支線動作光ファイバー１０３上に障害が発生した場合における受動型光加入者網１００の保護切換動作を示す図である。障害が発生した支線動作光ファイバー１０３は、該当する支線保護光ファイバー１０４に代替される。保護光分配器１４５は、第２の保護多重化器１４２ｂを介して放送用光信号を受信し、受信した放送用光信号を強度分割した後、該当する支線保護光ファイバー１０４を介して支線動作光ファイバー１０３に障害が発生した該当加入者装置１５０−１に出力する。
【００５８】
図６は、図５と同様に特定の支線動作光ファイバー１０３上に障害が発生した場合における受動型光加入者網１００の保護切換動作を示す図である。図６に示す受動型光加入者網１００は、保護光分配器１４５が動作光分配器１４４を完全に代替した場合を示している。
【図面の簡単な説明】
【００５９】
【図１】本発明の好ましい実施形態に従う保護切換可能な波長分割多重方式の受動型光加入者網の構成を示すブロック図である。
【図２】図１に示す受動型光加入者網に障害が発生した場合における保護切換動作を説明するためのブロック図である。
【図３】図１に示す受動型光加入者網に障害が発生した場合における保護切換動作を説明するためのブロック図である。
【図４】図１に示す受動型光加入者網に障害が発生した場合における保護切換動作を説明するためのブロック図である。
【図５】図１に示す受動型光加入者網に障害が発生した場合における保護切換動作を説明するためのブロック図である。
【図６】図１に示す受動型光加入者網に障害が発生した場合における保護切換動作を説明するためのブロック図である。
【符号の説明】
【００６０】
１１０    中央基地局
１４０    地域基地局
１５０−１〜１５０−ｎ    加入者装置
１１２−１〜１１２−ｎ    第１の動作送受信モジュール
１１３−１〜１１３−ｎ    第１の保護送受信モジュール
１３１    動作光送信器
１３２    保護光送信器
１２１    第１の光スイッチ
１２２    第１の光スイッチ
１５１−１〜１５１−ｎ    第２の光スイッチ
１４４    動作光分配器
１４５    保護光分配器
【図１】
2006197558.tif 000003
【図２】
2006197558.tif 000004
【図３】
2006197558.tif 000005
【図４】
2006197558.tif 000006
【図５】
2006197558.tif 000007
【図６】
2006197558.tif 000008